(57)【要約】【課題】偏熱によるレンズ特性の劣化を抑制可能な光ピックアップ装置およびレンズ駆動装置を提供する。【解決手段】モータ１３が駆動されて駆動板１５が光軸方向に移動すると、突片１５ｃに押されて保持筒１１が光軸方向に移動する。このとき、ベース２０側に固定された突片１７ａからカム溝１１ｂが力を受け、この力により、保持筒１１が、光軸を軸として回転する。この回転の際、突片１５ｃは溝１１ａ内を、保持筒１１の円周方向に滑る。このように、光軸方向におけるコリメータレンズ１０４の移動に伴ってコリメータレンズ１０４が光軸周りに回転するため、コリメータレンズ１０４の偏熱が抑制・緩和される。【選択図】図２
2011129219.tif 000002
【特許請求の範囲】
【請求項１】
レーザ光源と、
前記レーザ光源から出射されたレーザ光を収束させる対物レンズと、
前記レーザ光源と前記対物レンズとの間に配されたレンズと、
前記レンズの光軸を軸として前記レンズを回転させるレンズアクチュエータと、
を備えることを特徴とする光ピックアップ装置。
【請求項２】
請求項１に記載の光ピックアップ装置において、
前記レンズアクチュエータは、
前記レンズを光軸方向に移動させるための第１のアクチュエータ部と、
前記第１のアクチュエータ部による駆動力を用いて前記レンズを前記光軸の周りに回転させるための第２のアクチュエータ部と、を有する、
ことを特徴とする光ピックアップ装置。
【請求項３】
請求項２に記載の光ピックアップ装置において、
前記第２のアクチュエータ部は、カム溝と該カム溝に係合する係合片とを有する、
ことを特徴とする光ピックアップ装置。
【請求項４】
請求項２または３に記載の光ピックアップ装置において、
前記レンズは、前記レーザ光に生じる収差を補正するために光軸方向に移動されるレンズである、
ことを特徴とする光ピックアップ装置。
【請求項５】
請求項４に記載の光ピックアップ装置において、
前記レンズは、前記レーザ光源から出射されたレーザ光を平行光に変換するとともに、前記レーザ光に生じる収差を補正するために光軸方向に移動されるコリメータレンズレンズである、
ことを特徴とする光ピックアップ装置。
【請求項６】
レンズと、
前記レンズを光軸方向に移動させるための第１のアクチュエータ部と、
前記第１のアクチュエータ部による駆動力を用いて前記レンズを前記光軸の周りに回転させるための第２のアクチュエータ部と、を有する、
ことを特徴とするレンズ駆動装置。
【発明の詳細な説明】
【技術分野】
【０００１】
本発明は、光ピックアップ装置およびレンズ駆動装置に関するものであり、特に、樹脂製のレンズを搭載する光ピックアップ装置およびレンズ駆動装置に用いて好適なものである。
【背景技術】
【０００２】
近年、樹脂製のレンズが、光ピックアップ装置等の光学機器に用いられるようになっている。かかるレンズは、従来のガラスレンズに比べ、安価かつ軽量であるとのメリットを有している。しかし、樹脂製レンズは、ガラスレンズに比べて、温度による影響を受け易く、これによる光学特性の劣化が懸案となっている。
【０００３】
図６は、既存の光ピックアップ装置を側面から見た内部透視図である。図示の如く、光ピックアップ装置は、半導体レーザ１と、対物レンズ２と、半導体レーザ１から出射されたレーザ光を対物レンズ２に導く光学系３がケース４に収容された構成となっている。ケース４には、たとえばその上面に、メイン基板５と、レーザドライバ６が設置される。
【０００４】
ＣＤ、ＤＶＤ、ＢＤに対応可能な互換型の光ピックアップ装置では、図６に示す光学ブロックが２系統、ケース４に収容される場合がある。なお、ＢＤに対応可能な光ピックアップ装置では、通常、収差補正のために、コリメータレンズ３ａを光軸方向に変位させる機構が配されている。
【先行技術文献】
【特許文献】
【０００５】
【特許文献１】特開２００９−９３７６２号公報
【発明の概要】
【発明が解決しようとする課題】
【０００６】
図６に示すような構成では、メイン基板５やレーザドライバ６にて発生する熱により、ケース４内の温度に偏りが生じる。近年の記録速度の高速化に伴い、半導体レーザ１の出射パワーが高まると、従来に比べ、レーザドライバ６における発熱量が、かなり大きくなる。このため、ケース４内における温度の偏りは、一層激しくなり、これにより、ケース４内に配された光学部品の特性が劣化する惧れがある。
【０００７】
特に、図６に示すコリメータレンズ３ａが樹脂により形成されている場合には、かかる温度の偏りにより、レーザ光にコマ収差や非点収差が発生する惧れがある。たとえば、図６の構成では、コリメータレンズ３ａの上部が下部に比べ温度が高くなり、上部と下部の光学特性に差が生じる。このため、コリメータレンズ３ａを透過したレーザ光にコマ収差や非点収差が発生する惧れがある。
【０００８】
本発明は、かかる問題を解消するためになされたものであり、偏熱によるレンズ特性の劣化を抑制可能な光ピックアップ装置およびレンズ駆動装置を提供することを目的とする。
【課題を解決するための手段】
【０００９】
本発明の第１の態様は、光ピックアップ装置に関する。本態様に係る光ピックアップ装置は、レーザ光源と、前記レーザ光源から出射されたレーザ光を収束させる対物レンズと、前記レーザ光源と前記対物レンズとの間に配されたレンズと、前記レンズの光軸を軸として前記レンズを回転させるレンズアクチュエータとを備える。
【００１０】
本発明の第２の態様は、レンズ駆動装置に関する。本態様に係るレンズ駆動装置は、レンズと、前記レンズを光軸方向に移動させるための第１のアクチュエータ部と、前記第１のアクチュエータ部による駆動力を用いて前記レンズを前記光軸の周りに回転させるための第２のアクチュエータ部とを有する。
【発明の効果】
【００１１】
本発明によれば、偏熱によるレンズ特性の劣化を抑制可能な光ピックアップ装置およびレンズ駆動装置を提供することができる。
【００１２】
本発明の特徴は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【図面の簡単な説明】
【００１３】
【図１】実施の形態に係る光ピックアップ装置の構成を示す図である。
【図２】実施の形態に係るレンズ駆動装置の構成を示す図である。
【図３】実施の形態に係るレンズ駆動装置の動作および効果を示す図である。
【図４】実施の形態に係るレンズ駆動装置の変更例を示すである。
【図５】実施の形態に係るレンズ駆動装置の他の変更例を示すである。
【図６】既存の光ピックアップ装置の構成を示す図である。
【発明を実施するための形態】
【００１４】
以下、本発明の実施の形態につき図面を参照して説明する。本実施の形態は、ＢＤとＣＤ（Compact Disc）およびＤＶＤ（Digital Versatile Disc）に対してレーザ光を照射する光ピックアップ装置および当該光ピックアップ装置に配されるレンズ駆動装置に本発明を適用したものである。
【００１５】
図１に、実施の形態に係る光ピックアップ装置の光学系を示す。同図（ａ）は光学系の上面図、同図（ｂ）は対物レンズアクチュエータ周辺部分を側面側から見た内部透視図である。この光学系は、ＢＤ用の光学系とＣＤ／ＤＶＤ用の光学系に区分される。
【００１６】
ＢＤ用の光学系は、半導体レーザ１０１と、回折格子１０２と、偏光ビームスプリッタ１０３と、コリメータレンズ１０４を含むレンズ駆動装置１０５と、立ち上げミラー１０６と、λ／４板１０７と、第１の対物レンズ１０８と、アナモレンズ１０９と、光検出器１１０から構成されている。
【００１７】
半導体レーザ１０１は、波長４００ｎｍ程度の青色レーザ光を出力する。回折格子１０２は、半導体レーザ１０１から出射されたレーザ光を３ビームに分割する。偏光ビームスプリッタ１０３は、回折格子１０２側から入射されたレーザ光を反射する。
【００１８】
コリメータレンズ１０４は、偏光ビームスプリッタ１０３によって反射されたレーザ光を平行光に変換する。コリメータレンズ１０４は、樹脂材料により形成されている。レンズ駆動装置１０５は、コリメータレンズ１０４をレーザ光の光軸方向に駆動する。なお、コリメータレンズ１０４およびレンズ駆動装置１０５は、収差補正手段として機能する。レンズ駆動装置１０５の詳細は、追って、図２および図３を参照して説明する。
【００１９】
立ち上げミラー１０６は、コリメータレンズ１０４を介して入射されたレーザ光を第１の対物レンズ１０８に向かう方向に反射する。λ／４板１０７は、反射ミラー１０６によって反射されたレーザ光を円偏光に変換するとともに、ディスクからの反射光を、ディスクへ入射される際の偏光方向に直交する直線偏光に変換する。これにより、ディスクによって反射されたレーザ光は偏光ビームスプリッタ１０３を透過して光検出器１１０へと導かれる。
【００２０】
第１の対物レンズ１０８は、青色波長のレーザ光を、ＢＤの信号面上に適正に収束できるよう設計されている。すなわち、第１の対物レンズ１０８は、０．１ｍｍ厚の基板を介して信号面上に青色波長のレーザ光を適正に収束できるよう設計されている。積層方向に複数の記録層が配されたＢＤが装着された場合には、記録／再生対象の記録層に応じて、コリメータレンズ１０４が光軸方向にシフトされる。
【００２１】
アナモレンズ１０９は、ディスクによって反射されたレーザ光を光検出器１１０上に収束させる。アナモレンズ１０９は、ディスクからの反射光に非点収差を導入する。光検出器１１０は、受光したレーザ光の強度分布から再生ＲＦ信号、フォーカスエラー信号およびトラッキングエラー信号を導出するためのセンサーパターンを有している。なお、本実施の形態では、フォーカスエラー信号の生成手法として非点収差法が採用され、トラッキングエラー信号の生成手法としてＤＰＰ（Differential Push Pull）法が採用されている。光検出器１１０は、これらの手法に従ってフォーカスエラー信号およびトラッキングエラー信号を導出するためのセンサーパターンを有している。
【００２２】
ＣＤ／ＤＶＤ用の光学系は、半導体レーザ１２１と、回折格子１２２と、偏光ビームスプリッタ１２３と、コリメータレンズ１２４と、立ち上げミラー１２５と、λ／４板１２６と、第２の対物レンズ１２７と、アナモレンズ１２８と、光検出器１２９から構成されている。
【００２３】
半導体レーザ１２１は、一つのＣＡＮ内に、波長７８０ｎｍ程度の赤外レーザ光と波長６５０ｎｍ程度の赤色レーザ光を出力するレーザ素子を備える。回折格子１２２は、半導体レーザ１２１から出射されたレーザ光を３ビームに分割する。偏光ビームスプリッタ１２３は、回折格子１２２側から入射されたレーザ光を反射する。
【００２４】
コリメータレンズ１２４は、偏光ビームスプリッタ１２３によって反射されたレーザ光を平行光に変換する。コリメータレンズ１２４は、樹脂材料により形成されている。なお、本実施の形態では、コリメータレンズ１２４は、光軸方向に変位しないよう構成されているが、ＢＤ用光学系のコリメータレンズ１０４と同様、後述のレンズ駆動装置によってコリメータレンズ１２４を光軸方向に移動可能としても良い。
【００２５】
立ち上げミラー１２５は、コリメータレンズ１２４を介して入射されたレーザ光を第２の対物レンズ１２７に向かう方向に反射する。λ／４板１２６は、反射ミラー１２５によって反射されたレーザ光を円偏光に変換するとともに、ディスクからの反射光を、ディスクへ入射される際の偏光方向に直交する直線偏光に変換する。これにより、ディスクによって反射されたレーザ光は偏光ビームスプリッタ１２３を透過して光検出器１２９へと導かれる。
【００２６】
第２の対物レンズ１２７は、赤外波長のレーザ光と赤色波長のレーザ光を、それぞれ、ＣＤとＤＶＤの信号面上に適正に収束できるよう設計されている。すなわち、第２の対物レンズ１２７は、１．２ｍｍ厚の基板を介して信号面上に赤外波長のレーザ光を適正に収束でき、且つ、０．６ｍｍ厚の基板を介して信号面上に赤色波長のレーザ光を適正に収束できるよう設計されている。
【００２７】
アナモレンズ１２８は、ディスクによって反射されたレーザ光を光検出器１２９上に収束させる。アナモレンズ１２８は、ディスクからの反射光に非点収差を導入する。
光検出器１２９は、受光したレーザ光の強度分布から再生ＲＦ信号、フォーカスエラー信号およびトラッキングエラー信号を導出するためのセンサーパターンを有している。なお、本実施の形態では、上記の如く、フォーカスエラー信号の生成手法として非点収差法が採用され、トラッキングエラー信号の生成手法としてＤＰＰ（Differential Push Pull）法が採用されている。光検出器１２９は、これらの手法に従ってフォーカスエラー信号およびトラッキングエラー信号を導出するためのセンサーパターンを有している。
【００２８】
第１の対物レンズ１０８および第２の対物レンズ１２７と、λ／４板１０７、１２６は、共通のホルダ１３１に装着されている。このホルダ１３１は、対物レンズアクチュエータ１３２によって、フォーカス方向およびトラッキング方向に駆動される。したがって、第１の対物レンズ１０８および第２の対物レンズ１２７と、λ／４板１０７、１２６は、ホルダ１３１の駆動に伴って一体的に駆動される。対物レンズアクチュエータ１３２は、コイルと磁気回路からなり、このうち、コイルがホルダ１３１に装着されている。
【００２９】
第１の対物レンズ１０８と第２の対物レンズ１２７はディスク径方向に並ぶように配置されている。このとき、これら２つの対物レンズのうち、レンズ径の小さい第１の対物レンズ１０８の方がディスク内周側に配置される。
【００３０】
次に、図２を参照して、上記レンズ駆動装置１０５の構成について説明する。
【００３１】
同図（ａ）は、レンズ駆動装置１０５の要部斜視図、同図（ｂ）は、同図（ａ）をＡ−Ａ’線にてレンズ光軸に平行に切断して上側を取り除いたときの保持筒１１の近傍を上面から見た図、同図（ｃ）は、同図（ａ）の構成体がベース２０に装着された状態を前方から見たときの図である。
【００３２】
同図において、保持筒１１は前方と後方が開放された円柱状の筒体で、内部にコリメータレンズ１０４が装着されている。保持筒１１の周面には、同一円周上に形成された溝１１ａと、螺旋状に形成されたカム溝１１ｂが形成されている。
【００３３】
図１の光学系が装着されるベース２０には、保持筒１１の装着位置に、保持筒１１の周面と同じ形状をもつ受け面２０ａが形成されている。この受け面２０ａは、保持筒１１が後述のように光軸方向に移動できるよう、保持筒１１の全長よりも長く形成されている。同図（ｃ）に示すように、保持筒１１が受け面２０ａに乗せられた状態で、上側からガイド枠１２がベース２０に取り付けられる。これにより、保持筒１１は、受け面２０ａとガイド枠１２に案内されて、光軸方向に移動可能となる。
【００３４】
ベース２０には、さらに、モータ１３が装着される。モータ１３の駆動軸には、ウォームギア１４が装着され、このウォームギア１４が、駆動板１５のギア孔１５ａに噛み合っている。駆動板１５の孔１６ｂに、ベース２０に装着されたガイドシャフト１６が通されることにより、駆動板１５が光軸方向に案内される。なお、同図（ａ）および（ｃ）では、ガイドシャフト１６の両端をベース２０に装着するための台座が図示省略されている。
【００３５】
駆動板１５には、光軸方向に垂直な方向に突出した円柱状の突片１５ｃが形成され、この突片１５ｃが、保持筒１１の溝１１ａと係合している。また、ベース２０の上面には台部１７が形成され、この台部１７から光軸方向に垂直な方向に突出した円柱状の突片１７ａが、保持筒１１のカム溝１１ｂと係合している。
【００３６】
同図に示す構成において、モータ１３が駆動されて駆動板１５が光軸方向に移動すると、突片１５ｃに押されて保持筒１１が光軸方向に移動する。このとき、ベース２０側に固定された突片１７ａからカム溝１１ｂが力を受け、この力により、保持筒１１が、光軸を軸として回転する。この回転の際、突片１５ｃは溝１１ａ内を、保持筒１１の円周方向に滑る。
【００３７】
図３は、レンズ駆動装置１０５の動作および効果を示す図である。同図（ａ）および（ｂ）は、レンズ駆動装置１０５が図２（ａ）の状態にあるときの図２（ｂ）および（ｃ）に対応する図である。同図（ｃ）および（ｄ）は、レンズ駆動装置１０５の保持筒１１が図２（ａ）の状態から後方に移動されたときの図２（ｂ）および（ｃ）に対応する図である。なお、同図（ｂ）、（ｄ）のコリメータレンズ１０４に示されたハッチングは、温度の高い領域を模式的に示すものである。
【００３８】
同図（ａ）、（ｂ）に示す状態から、モータ１３が駆動され、保持筒１１が後方に移動すると、上記のように、突片１７ａとカム溝１１ｂとの間の作用により、保持筒１１は、光軸を軸として反時計方向に回転する。これに伴い、コリメータレンズ１０４も、光軸を軸として反時計方向に回転する。さらにモータ１３が駆動され、保持筒１１が同図（ｃ）の位置まで移動すると、保持筒１１は、同図（ａ）、（ｂ）の位置から反回転し、これに伴いコリメータレンズ１０４も反回転する。
【００３９】
たとえば、光ピックアップ装置の外側面のうち、コリメータレンズ１０４の真上位置近傍に、メイン基板やレーザドライバ等が配置されると、これら回路から発生した熱により、コリメータレンズ１０４は、図３（ｂ）に示すように上部が温められ、コリメータレンズ１０４の上部と下部の間に温度差が生じる。この温度差により、コリメータレンズ１０４の上部と下部の光学作用が相違し、これにより、コリメータレンズ１０４を透過したレーザ光にコマ収差や非点収差が生じる惧れがある。
【００４０】
本実施の形態では、光軸方向におけるコリメータレンズ１０４の移動に伴ってコリメータレンズ１０４が光軸周りに回転するため、コリメータレンズ１０４における偏熱が緩和される。
【００４１】
たとえば、積層方向に複数の記録層を有するＢＤについて本実施の形態に係る光ピックアップ装置が使用される場合、記録／再生の対象となる記録層に応じて、コリメータレンズ１０４の位置が光軸方向に大きくシフトされる。この場合、記録／再生対象が一方の記録層から他方の記録層へと移るときに、コリメータレンズ１０４の位置が、図３（ａ）の位置から図３（ｃ）の位置に変化するようにレンズ駆動装置１０５を構成すると、記録／再生対象の記録層が変更される毎に、コリメータレンズ１０４は反回転する。このとき、一方の記録層の記録／再生中に温まったコリメータレンズ１０４の領域は、他方の記録層の記録／再生へと移行するに応じて、熱源であるメイン基板やレーザドライバ等から遠ざけられる。こうして、他方の記録層の記録／再生中には、コリメータレンズ１０４の上部と下部との間の温度差が徐々に小さくなり、偏熱によるコリメータレンズ１０４の特性劣化が抑制される。
【００４２】
なお、このように記録／再生対象の記録層の変更に応じてコリメータレンズ１０４を反回転させるには、記録層変更の際のコリメータレンズ１０４の移動ストロークＤ（図３（ｃ）参照）と、カム溝１１ｂが反回転するときの光軸方向におけるカム溝１１ｂの変位量とを一致させれば良い。
【００４３】
なお、ここでは、記録／再生の対象とされる記録層が変更される場合を例に挙げて、本実施の形態に係る光ピックアップ装置およびレンズ駆動装置１０５の効果を説明したが、本実施の形態に係る光ピックアップ装置およびレンズ駆動装置１０５は、一つの記録層のみしか持たないＢＤが対象とされる場合にも、効果を奏し得るものである。
【００４４】
たとえば、ＢＤのレーザ光入射面から記録層までの距離（カバー厚）は、ディスク毎によって相違する。コリメータレンズ１０４は、カバー厚の相違に基づき発生する収差を補正するために、光軸方向に移動される。本実施の形態では、かかる移動に伴って、コリメータレンズ１０４が光軸を軸として回転される。したがって、ディスクが交換され、カバー厚が変化すると、その度毎に、コリメータレンズ１０４は回転される。これにより、コリメータレンズ１０４の偏熱が抑制される。
【００４５】
なお、この場合には、記録／再生対象の記録層が変更される場合のようにコリメータレンズ１０４が大きく移動することはない。よって、ディスク交換時のコリメータレンズ１０４の回転量は、記録層変更時の回転量に比べて小さい。しかし、この場合であっても、コリメータレンズ１０４は回転されるため、コリメータレンズ１０４における偏熱は抑制され得る。
【００４６】
以上、本実施の形態によれば、コリメータレンズ１０４における偏熱を抑制でき、よって、偏熱によるコリメータレンズ１０４の特性劣化を抑制することができる。
【００４７】
また、本実施の形態によれば、光軸方向におけるコリメータレンズ１０４の移動を利用してコリメータレンズ１０４が回転されるため、コリメータレンズ１０４を回転させるための機構を簡素なものとすることができる。
【００４８】
さらに、本実施の形態によれば、コリメータレンズ１０４の移動に伴ってコリメータレンズ１０４が回転されるため、記録／再生動作中における記録層の変更や、ディスクの交換に伴って、コリメータレンズ１０４の偏熱を抑制することができる。すなわち、記録／再生動作中等、偏熱が生じ得る状況下において、特別な処理を要することなく、コリメータレンズ１０４の偏熱を抑制することができる。
【００４９】
以上、本発明の実施の形態について説明したが、本発明は上記実施の形態に何ら制限されるものではなく、また、本発明の実施の形態も上記の他に種々の変更が可能である。
【００５０】
たとえば、上記実施の形態では、カム溝１１ｂを保持筒１１側に形成することによりコリメータレンズ１０４を回転させたが、カム溝１１ｂをベース２０ａ側に配置して、コリメータレンズ１０４を回転させても良い。
【００５１】
図４は、この場合の構成例を示す図である。同図（ａ）は、本変更例に係るレンズ駆動装置１０５の要部斜視図、同図（ｂ）は、同図（ａ）の構成体がベース２０に装着された状態を前方から見たときの図、同図（ｃ）および（ｄ）は、同図（ｂ）の上面図である。なお、同図（ａ）では、便宜上、カム枠１９が図示省略されている。
【００５２】
本変更例では、保持筒１１の中に、保持筒１１の内径と略等しい外径を持つ回転筒１８が挿入されている。回転筒１８は、保持筒１１内で光軸を軸として回転可能である。また、回転筒１８にコリメータレンズ１０４が装着されている。
【００５３】
保持筒１１には、同一円周上に、内部に続く切り欠き１１ｃが形成されている。切り欠き１１ｃは、保持筒１８の上部に半周に亘って形成されている。回動筒１８には、外周面から円柱状の突片１８ａが突設され、この突片１８ａが切り欠き１１ｃから外部に突出している。
【００５４】
上記実施の形態と同様、保持筒１１は、ベース２０の受け面２０ａに載せられ、この状態で、上側から、ガイド枠１１がベース２０に装着される。これにより、保持筒１１は、光軸方向に移動可能となる。この状態で、上側からカム枠１９がベースに装着される。カム枠１９の下面にカム溝１９ａが形成されており、このカム溝１９ａに、回動筒１８の突片１８ａが係合する。なお、本変更例では、駆動板１５の突片１５ｃが保持筒１１に連結される。
【００５５】
本変更例において、モータ１３が駆動されて駆動板１５が図４（ｃ）の状態から後方に移動すると、突片１５ｃに押されて保持筒１１が後方に移動する。このとき、突片１８ａが、ベース２０側に固定されたカム枠１９のカム溝１９ａから力を受け、この力によって、回転筒１８が、光軸を軸として回転する。その後、保持筒１１が同図（ｄ）の位置まで移動されると、突片１５ｃは同図中に示す位置まで移動される。これにより、回転筒１８が略反回転し、これに伴い、コリメータレンズ１０４も反回転する。
【００５６】
本変更例においても、コリメータレンズ１４の移動に伴ってコリメータレンズ１４が光軸周りに回転するため、上記実施の形態と同様、偏熱によるコリメータレンズ１４の特性劣化を抑制できる。その他、本変更例においても、上記実施の形態と同様の効果が奏され得る。
【００５７】
なお、本変更例では、カム枠１９を配するようにしたが、カム枠１９を省略し、図５（ａ）に示すように、ベース２０の受け面２０ａに、図４のカム溝１９ａに対応するカム溝２０ｂを形成するようにして良い。この場合、図５（ｂ）に示すように、受け面２０ａに形成されたカム溝２０ｂに突片１８ａが係合するように、保持筒１１が、図４の状態から上下反転して配置される。こうすると、カム枠１９を省略できるため、更なる構成の簡素化を図ることができる。
【００５８】
上記実施の形態および変更例では、コリメータレンズ１０４を駆動するレンズ駆動装置１０５に本発明を適用したが、たとえば、収差補正用に凹レンズと凸レンズとからなるビームエキスパンダが配されている場合には、これらレンズを駆動するためのレンズ駆動装置に本発明を適用することもできる。
【００５９】
また、本発明は、図１に示す構成以外の光ピックアップ装置に適用することもでき、たとえば、対物レンズを一つしか持たない光学系の光ピックアップ装置にも適用することができる。
【００６０】
この他、本発明は、光ピックアップ装置以外の光学装置に搭載されるレンズ駆動装置にも適用可能である。
【００６１】
本発明の実施の形態は、特許請求の範囲に示された技術的思想の範囲内において、適宜、種々の変更が可能である。
【符号の説明】
【００６２】
１０４  …  コリメータレンズ
１０５  …  レンズ駆動装置
１１ａ  …  溝（第１のアクチュエータ部）
１１ｂ  …  カム溝（第２のアクチュエータ部）
１１ｃ  …  切り欠き（第２のアクチュエータ部）
１２  …  ガイド枠（第１のアクチュエータ部、第２のアクチュエータ部）
１３  …  モータ（第１のアクチュエータ部）
１４  …  ウォームギア（第１のアクチュエータ部）
１５  …  駆動板（第１のアクチュエータ部）
１５ｃ  …  突片（第１のアクチュエータ部）
１７ａ  …  突片（第２のアクチュエータ部）
１８  …  回転筒（第２のアクチュエータ部）
１８ａ  …  突片（第２のアクチュエータ部）
１９  …  カム枠（第２のアクチュエータ部）
１９ａ  …  カム溝（第２のアクチュエータ部）
２０ａ  …  受け面（第１のアクチュエータ部）
２０ｂ  …  カム溝（第２のアクチュエータ部）
【図１】
2011129219.tif 000003
【図２】
2011129219.tif 000004
【図３】
2011129219.tif 000005
【図４】
2011129219.tif 000006
【図５】
2011129219.tif 000007
【図６】
2011129219.tif 000008